(57)【要約】      （修正有）【課題】内側にペニスから分泌される精液の味や匂いを改善する所定の香料剤を設け、口−性器のセックスの悦楽や完了を妨げない分泌型コンドームを提供する。【解決手段】男性用避妊具が、男性器の上に配置されるコンドーム状シースを具え、その遠位端部３０の中に香料剤６０を配置してなる。遠位端部は、男性の射精時に香りを変化させた精液を放出、射出、あるいは分泌可能である。前記コンドーム状シースは男性器の細長い形状に弾性的に適合する形状を有する。当該シースは、男性器を受けるための開いた近位端部２０と、選択的に閉じている遠位先端を有する遠位端部とを具える。遠位先端３５は香料剤を内包するリザーバ５５を規定しており、リザーバに精液が入る圧力を受けると、精液の匂いの態様または特性を変化させ、リザーバに入った精液を放出可能である。【選択図】図１
2014036859.tif 000002
【特許請求の範囲】
【請求項１】
男性用避妊器具であって、
内側を画定している弾性のコンドーム状シースを具え、当該コンドーム状シースは、
男性器を受けるための開いた近位端部と、
選択的に閉じられており、前記内側と液通している遠位先端を有する遠位先端とを具え、
内部に香料剤が配置されたリザーバを規定しており、圧力で前記リザーバに精液が入ると、精液の匂いが前記香料剤によって変化され、変化した精液が前記遠位端部から前記シースの外側環境へ放出されることを特徴とする男性用避妊器具。
【請求項２】
請求項１の器具において、前記香料剤は、前記リザーバに入る精液と実質的に混じり合って匂いを変える摂取可能な香料成分であることを特徴とする器具。
【請求項３】
請求項１の器具において、前記香料剤は、前記リザーバに入る精液と接触すると、前記精液の匂いを変化させる摂取可能な香料成分であることを特徴とする器具。
【請求項４】
請求項１の器具において、前記香料剤は、流体が通過可能な多孔性膜であり、リザーバ内に入る精液が接触してこれを通ると、精液の匂いを変化させることを特徴とする器具。
【請求項５】
請求項２の器具において、前記香料剤は、香料液、乾燥した香料パウダー、および香料ガス混合物のうちの１以上であることを特徴とする器具。
【請求項６】
請求項３の器具において、前記香料剤は、前記リザーバの内面に適用された、流体と接触すると当該流体に香りをつけることが可能な香料コーティングであることを特徴とする器具。
【請求項７】
請求項１の器具において、前記遠位端部がさらに１以上のミシン目を具え、当該ミシン目は破れた場合に、前記内側と前記シースの外側周囲との間の液通が可能となり、前記リザーバ内の精液が周囲へと放出されることを特徴とする器具。
【請求項８】
請求項１の器具において、前記遠位端部がさらに１以上の取り外し可能な部分を具え、前記遠位端部から取り外したときに、前記内側と前記シースの外側周囲との間の液通が可能となるとともに前記リザーバ内の液体を周囲へ放出する１以上の開口部が前記遠位端部に現れることを特徴とする器具。
【請求項９】
請求項１の器具において、前記遠位先端がさらに、前記内側と前記シースの外側周囲との間の液通を可能にする開口部を具えることを特徴とする器具。
【請求項１０】
請求項１の器具において、前記シースの内側がさらに１以上のミシン目を具え、当該ミシン目は破れた場合に、前記リザーバと前記シースの外側周囲との間の液通が可能となり、前記リザーバ内の液体が周囲へと放出されることを特徴とする器具。
【請求項１１】
請求項１の器具において、前記シースの内側がさらに、前記リザーバと前記シースの外側周囲との間を液通させて前記リザーバ内から液体を周囲へと放出可能な１以上の選択的に閉じられた孔を具えることを特徴とする器具。
【請求項１２】
請求項９の器具において、さらに、前記遠位端部に取り外し可能に固定され前記開口部を密閉するように覆うパッチを具え、当該パッチを前記遠位端部から取り去ると、前記遠位先端が、前記リザーバから前記開口部を通して前記シースの外側周囲へと前記液体を放出可能となることを特徴とする器具。
【請求項１３】
請求項９の器具において、さらに、前記遠位端部に取り外し可能に固定され前記開口部を密閉するように覆うタブを具え、前記タブを前記遠位端部から少なくとも部分的に取り去ると、前記遠位先端が、前記リザーバから前記開口部を通して前記シースの外部環境へと前記液体を放出可能となることを特徴とする器具。
【請求項１４】
請求項１の器具において、前記遠位端部がさらに、開いたときに前記遠位先端に開口部を生じさせ前記リザーバから前記開口部を通って前記シースの外側周囲へと一方向に液体を放出可能となる一方通行弁を具えることを特徴とする器具。
【請求項１５】
請求項１４の器具において、前記一方通行弁は前記リザーバに入る精液により生じる力に反応して開き得ることを特徴とする器具。
【請求項１６】
男性用避妊具の製造方法であって、
シース内側を画定し男性器を受けるための開いた近位端部と、前記シース内側と液通しリザーバを規定する遠位先端を有する選択的に閉じられた遠位端部とを具える弾性コンドーム状シースを形成するステップと、
前記リザーバに香料剤を配置するステップとを具え、当該香料剤は、前記リザーバ内に入った精液と混ざると精液の匂いを変化させ、
前記選択的に閉じられた遠位先端は、前記リザーバ内に入る精液の圧力に応じて前記遠位端部から前記変化した精液を前記シースの外側環境へと放出可能であることを特徴とする方法。
【発明の詳細な説明】
【技術分野】
【０００１】
［関連出願の相互参照］
本願は２０１０年９月２９日に出願された米国特許願番号１２／８９３，５７１の一部継続出願であり、その開示全体が参照により本書に全体として組み入れられている。
【０００２】
［発明の分野］
本発明は男性用の避妊具に関する。より具体的には、本発明は、男性の生殖器の上に配置するコンドーム状シースであって、当該コンドーム状シースの選択的に閉じられた遠位端部の中に配置された香料剤を有し、この遠位端部は男性の射精時に香料剤を放出、噴出、あるいは分泌可能である。
【背景技術】
【０００３】
多くのコンドームの種類がこの分野で知られている。一般に、コンドームは伝染病の可能性を低減するとともに性的パートナーとの望まない妊娠を低減させるための避妊具の一種として用いられる。長年、コンドームは利用者および性交渉相手にもたらされる快適性と感覚を考慮してその構造において進化してきた。例えば、コンドームを構成する材料は通常低アレルギー誘発性かつ非摩耗性であり、往々にして何種類かの液体組成物で潤滑されており、アレルギー反応、発疹、またはコンドームに必要な緊密性と弾性密着性により生じる他の摩擦の不具合が生じるのを防いでいる。さらに、感覚が抑制される問題が生じないように、避妊具の安全性を維持しつつコンドームの厚さを低減するよう材料が選択される。コンドームはまた、皮膚と密着するコンドームの内面および／または外面にテキスチャ素材を用いることにより、あるいはコンドームの内外面に皮膚との接触により性的作用を生じさせる自然または合成の成分を摘要することにより、実際に性的刺激を高めたり強化したりするものとして用いられる。このように、コンドームはセックスの楽しみを向上させる有用な器具として証明されてきた。
【０００４】
コンドームは性感染症を伝染する可能性と、性交渉の際の望まない妊娠の可能性を下げるのに用いられるのが一般的だが、コンドームはまた、一般大衆に人気の高い安全な、従来の歴史に比べて広く大衆に受け入れられている性交渉の形となっている口−性器のセックスを行うのに用いられている。妊娠に関係しないが、口腔やその周りの唇、および顔の皮膚はすべて、セックスパートナーの生殖器と皮膚同士の直接接触があった場合に皮膚／血液または粘液の仕切りが破られたときに疾病を伝染する有意な可能性がある。したがって、いくらかは妨げがあるが、コンドームは、男性の生殖器に被せたときに、男性のパートナーの口−性器のセックスを行う際に口の組織面とペニスの皮膚面との間の重要な仕切りを提供する。
【０００５】
しかしながら、身体の口の感覚を含めると、味と匂いは、口−性器のセックスを行う場合の人が快楽を体験しているかを判定するのに重要な要素である。通常コンドームは、ラテックス、ラバー、ポリウレタン、またはポリイソプレンといった自然または人工のポリマー材料でなるため、通常これらは口内に導いたときによい匂い、味、または肌触りがしない。コンドームの望ましくない匂いや味を隠す努力や、性交渉にユニークな関心材料を加えるために、コンドームの構造的強度を損なうことなくその外面に香りのよい多種の成分を加える努力がなされてきた。例えば、摂取可能または食用の香料をコンドームに用いる潤滑剤に添加する。別の例では、摩擦接触または例えば唾液に接触したり体温で溶解するように、溶解、反応、放出、または他の方法でコンドームから無くなり、反応し、あるいは他の方法で消散する香料の薄膜、コーティング、または筒状材料をコンドームの外面に追加している。
【０００６】
このように、口−性器の性交渉を考慮した場合のコンドームの不快な匂いと味を低減すべく香料を用いる進歩があるが、コンドームの外側面のみが口腔に接触するため、これらの香料は、コンドームの外面に手作業または製造工程で適用されるだけである。歴史的に、コンドームはその遠位端部で封止され閉じており、体液が漏出しないようになっている。このため、コンドームに用いられる香料添加剤は、コンドームを使用しなかったり、コンドームが絶頂前に取り外される場合に、口−性器のセックスで分泌される体液の匂いや香りを低減したり隠すことに対処していない。多くの人々にとって、長い期間または男性が絶頂に達するまで口−性器のセックスをされたりしたりする際に、これらの体液と接触または摂取するのはかなりの抵抗が生じる。特に、精液の匂いや香りは、男性パートナーに口−性器のセックスを行う人にとって往々にして好ましくないと考えられる。このため、コンドーム状用具の内側に、ペニスから分泌される精液の味や匂いを改善する所定の香料剤を設けて、口−性器のセックスの悦楽や完了を妨げないようにすることは利点となる。
【０００７】
上記の効果を増進するために、香料成分が射精時の精液と実質的に混ざるか、そうでなくてもその香りの態様あるいは特性を変化させるような時点と方法で、香料剤がコンドーム状用具から放出されるようにすることが有利である。
【０００８】
したがって、上述した問題を解消する必要が存在していた。
【先行技術文献】
【特許文献】
【０００９】
【特許文献１】国際出願公開番号第２０１２／０５０８６１号
【発明の概要】
【００１０】
上記および他の目的のために、本発明によると、内側を画定している弾性のコンドーム状シースを具える男性用避妊具が提供され、これは男性器を受けるための開いた近位端部と、選択的に閉じている遠位端部とを具える。この遠位端部は、内側と液通するとともに内部に納められた香料剤を有するリザーバを規定する遠位先端を具え、前記リザーバに入る精液の圧力により、精液の匂いが前記香料剤によって変成され、この変成された精液が前記遠位端部から前記シースの外側環境へと放出される。
【００１１】
本発明の他の特徴によると、前記香料剤は、前記リザーバに入る精液と実質的に混じり合い、匂いを変える摂取可能な香料成分である。
【００１２】
本発明のさらなる特徴によると、前記香料剤は、前記リザーバに入る精液と接触すると、前記精液の匂いを変化させる摂取可能な香料成分である。
【００１３】
本発明のさらなる特徴によると、前記香料剤は、流体が通過可能な多孔性膜であり、精液が前記リザーバ内に入る際に接触してこれを通ると、精液の匂いを変化させる。
【００１４】
本発明のさらなる特徴によると、前記香料剤は、香料液、乾燥した香料パウダー、および香料ガス混合物のうちの１以上である。
【００１５】
本発明のさらなる別の特徴によると、前記香料剤は、前記リザーバの内面に適用された、流体と接触すると当該流体に香りをつけることが可能な香料コーティングである。
【００１６】
本発明のさらなる特徴によると、遠位端部がさらに１以上の取り外し可能な部分を具え、これを前記遠位端部から取り外すと、前記シースの前記内側と外側環境を液通させる１以上の開口部が前記遠位端部に生じて、前記リザーバ内の液体を前記内側から周囲に放出する。
【００１７】
本発明のさらなる特徴によると、前記遠位端部が、前記シースの内側と外側環境を液通させる開口部を具える。
【００１８】
本発明の付帯する特徴によると、前記シースの内側はさらに１以上の孔を具え、これが破れた場合に、前記リザーバと前記シースの外側環境が液通して前記リザーバ内の流体を前記外側環境を放出しうる。
【００１９】
本発明のさらなる特徴によると、前記シースの内側はさらに、前記リザーバと前記シースの外側環境を液通させて前記リザーバ内の流体を前記外側環境を放出しうる１以上の選択的に閉じられた孔を具える。
【００２０】
本発明のさらなる特徴によると、前記遠位端部に取り外し可能に固定され前記開口部を密閉するように覆うパッチを具え、当該パッチを前記遠位端部から除去すると、前記遠位先端が、前記リザーバから前記開口部を通して前記シースの外部環境へと前記液体を放出可能となる。
【００２１】
本発明のさらなる別の特徴によると、前記遠位端部に取り外し可能に固定され前記開口部を密閉するように覆うタブを具え、前記タブを前記遠位端部から少なくとも部分的に除去すると、前記遠位先端が、前記リザーバから前記開口部を通して前記シースの外部環境へと前記液体を放出可能となる。
【００２２】
本発明のさらなる追加の特徴によると、前記遠位端部がさらに、開いたときに前記遠位端部に開口部を生じさせ前記リザーバから前記開口部を通って前記シースの外部環境へと一方向に液体を放出可能となる一方通行弁を具える。
【００２３】
本発明の付随する特徴によると、前記一方通行弁は前記リザーバに精液が入ることにより生じる力に応答して開き得る。
【００２４】
本発明の目的に照らし、さらに男性用避妊具の製造方法が提供され、シース内側を画定し男性器を受けるための開いた近位端部と、前記シース内側と液通しリザーバを規定する遠位先端を有する選択的に閉じられた遠位端部とを具える弾性コンドーム状シースを形成するステップと、前記リザーバに香料剤を配置するステップとを具え、当該香料剤は、前記リザーバ内に入った精液と混ざると精液の匂いを変化させ、前記選択的に閉じられた遠位先端は、前記リザーバ内に入る精液の圧力に応じて前記遠位端部から前記変化した精液を前記シースの外側環境へと放出可能である。
【００２５】
本発明のさらなる利点と他の特徴は、以下の詳細な説明に記載され、この詳細な説明から理解できるか、本発明の例示的な実施例の提示により教示される。本発明のさらなる他の利点が、特にクレームに示されたいずれかの手段、方法、または組み合わせにより実現される。本発明の構成や使用方法は、しかしながら、そのさらなる目的と利点とともに、添付の図面とともに読んだ場合の特定の実施例の以下の記述から最もよく理解されるであろう。
【００２６】
本発明は、本書において、男性器の上に被せるコンドーム状シースであって、当該コンドーム状シースの閉じた遠位先端配備された香料調剤溶液を有するが、これに拘わらず、詳細を図示したものに限定されることなく、本発明の範囲を逸脱することなく、またクレームの範囲または均等範囲内で、多様な変更や構造的変化を施すことができる。さらに、本発明の例示的な実施例の周知の要素については、本発明の適切な詳細を阻害しないように詳細な説明がなされないか省略されている。
【００２７】
本発明で特徴的だと考えられる他の構造が、添付の特許請求の範囲に記載されている。
【図面の簡単な説明】
【００２８】
本発明の実施例の利点が、以下の好適な実施例の詳細な説明から明らかになり、この説明は添付の図面とともに考慮すべきである。
【図１】図１は、本発明の第１の実施例にかかるコンドーム状シースを横から見た斜視図であり、近位端部の点線は近位端部の伸長した外形を示す。
【図２】図２は、本発明の第２の実施例にかかるコンドーム状シースを横から見た斜視図であり、近位端部の点線は近位端部の伸長した外形を示す。
【図３】図３は、本発明の第３の実施例にかかるコンドーム状シースを横から見た斜視図であり、近位端部の点線は近位端部の伸長した外形を示す。
【発明を実施するための形態】
【００２９】
要件通りに、本発明の詳細な説明が以下に開示される。しかしながら、開示の実施例は本発明の単なる例示であり、多様な形態で実施されうると解される。このため、本書に開示された特定の構造的および機能的な詳細は限定として解されてはならず、当業者が本発明を事実上様々な適切な詳細な構造で実施できるよう教示する代表例であって単に特許請求の範囲の根拠である。さらに、本書で使用される用語や文章は限定としてではなく、本発明の記載を理解できるようにするものである。明細書は、新規と見られる本発明の特徴を規定する特許請求の範囲で結論づけられるが、本発明は以下の明細書を図面とともに考慮してよりよく理解することができ、同じ参照番号が受け継がれる。図面はスケール通りではない。
【００３０】
本発明の開示と説明の前に、本書で用いられる用語は特定の実施例を説明するのみの目的で用いられ、限定を意図するものではない。本書で「ａ」または「ａｎ」という用語は、１または１以上を規定する。「複数」の語は本書において２または２以上を規定する。「別の」の語は本書において少なくとも２またはそれ以上あることを規定する。「具える」および／または「有する」の語は本書において具えることを規定する（すなわちオープンランゲージ）。「結合」の語は本書において取り付けられていることを規定し、これは直接的である必要はなく、機械的である必要もない。
【００３１】
例えば第１と第２、頂部と底部、その他の関係性を示す語は、単に１つの要素または動作を他の要素または動作と区別するために用いられ、これらの要素または動作に実際のそのような関係または順番を必ずしも伴うものではない。「具える」、「具えている」、またはこの派生語は、非排他的に具えることを意味し、一連の要素を具えるプロセス、方法、物品、または装置がこれらの要素のみを有するものではなく、このようなプロセス、方法、物品、または装置に明記されていないか内在する他の要素を含んでいてもよい。ある要素が「具える」とは、それ以上の限定を伴わず、この要素を具えるプロセス、方法、物品、または装置にさらなる同一要素が存在することを除外するものではない。
【００３２】
本書に用いられる「約」または「およそ」の語は、明記がなくてもすべての数値に適用される。これらの語は通常は当業者が明記された値と同等と考える範囲の数値を意味する（すなわち、同じ機能または結果を有する）。多くの場合に、これらの用語は最も近い重要な数字に丸められた数字を含む場合がある。本書において、「長い」の語は説明される物体の長手方向に関する方向を意味すると解されるべきである。
【００３３】
本発明の器具は、口−性器のセックスにおいて男性パートナーにより分泌または射出される精液（semen）または他の生殖液（seminal fluid）の匂いや味の風味を変化させるユニークな方法を提供する。本発明の目的は、男性パートナーにオーラル活動を行うパートナーにより精液または他の生殖液と接触あるいは摂取する体験を向上させ、性的活動に予期しない興味深い要素を追加することである。
【００３４】
図面を詳細に参照すると、特に図１には、本発明にかかるコンドーム状シースの第１実施例が示されている。器具１は、近位端部２０と先が細くなった遠位端部３０とを具える長い管状部材１０を具える。長い管状部材１０は、性的活動中に器具１が不用意に外れないように、男性器の長い形状に弾性的に適合する。近位端部２０は、男性器（図示せず）を器具１に挿入可能とする開口部２５を提供し、勃起時の男性器をコンドーム状に緊密に覆うシースとして作用する。器具１の長い管状部材１０は、コンドームを製造するための様々な適切な材料でなり、例えばこの分野で周知の自然または人工のラテックスなどである。図１に示す開口部２５は、器具１の未使用状態から外側に拡大または伸長されており、近位端部の点線は開口部２５の伸長された外形を示している。
【００３５】
本実施例では、器具１の遠位端部３０は、リザーバ５５を形成する遠位先端３５で終端している。図１に示すように、リザーバ５５の内部には、香料剤６０が配置されている（黒い線で示す）。この香料剤６０の組み合わせは任意の毒性のない成分か、食べられてなじみやすく、そうでなくてもリザーバ５５内の香料剤６０と接触した場合に精液の匂い特性を変化させることが可能である。このような香料剤は、限定しないが、香料液体、香料気体、あるいは乾燥した、香料コーティング、パウダー、またはリザーバ５５の内面に沿って設けられた化学フィルムが含まれる。このような香料剤は、例えば、香りのある果実、シロップ、ゲル、または抽出物、ココアやミントパウダーなどの香りのある乾燥パウダー、砂糖の結晶あるいは他の香りを付けた砂糖（例えばバニラ）、香りを付けた気体（vapor）、および、前記リザーバの内面にフィルムまたはコーティングとして適用された香り付けした液体であって、液体として維持されてもよいし、その後乾燥してもよい（現在市場で入手可能な舌に接触すると溶解する摂取可能な息フレッシュナーのようなもの）。他の例では、通る物質に香りをつける小さなメッシュ材料または他の種類の多孔性あるいはフィルタ状の面または膜をリザーバ５５内に配置してもよい。香料剤６０の香りは膨大な種類の香りから選択することができ、限定しないが、任意種類の果物、スパイス、ミント、またはキャンディの香りである。香料剤は、リザーバ５５に、器具１の製造およびアセンブリの工程間に充填されてもよいし、代替的に器具１の使用直前にリザーバ５５内に配備されてもよい。
【００３６】
既存のコンドームと異なり、器具１の遠位端部３０は典型的でなく、完全または恒常的に閉じていない。例えば図１の実施例に示すように、遠位先端３５は、後に詳述するように、遠位先端３５のリザーバ５５から液体を漏出可能な小さな開口部５０を具える。別の実施例では、遠位先端３５はミシン目部分（図示せず）を有して形成され、ミシン目に沿って破くことができ、いくつかの場合には取り去って、選択的に小さな開口部５０を生じさせる。第１の例では、遠位先端３５に最初から小さな開口部５０が形成されており、この小さな開口部５０は選択的に遠位端部３０または遠位先端３５に取り外し可能に固定されたパッチまたはタブ４０で密閉され、後に切り離して所望のときに器具１から香料溶液６０を放出または分配することができる。パッチまたはタブ４０は、遠位端部３０または遠位先端３５の外面を傷つけることがなく、性的活動を過度に妨げることのない、任意の適切な方法で遠位端部３０または遠位先端３５に取り外し可能に固定される。例えば、パッチまたはタブ４０は、毒性がなく、所望の場合に食用可能な圧力感応式粘着材か、遠位端部３０または遠位先端３５とパッチまたはタブ４０の双方の接着面に塗布される接着剤により、遠位端部３０または遠位先端３５に取り外し可能に固定することができる。上述した実施例は単なる例であり、多様な方法が想定され、遠位先端に単一の小孔を設ける以外に、使用中にリザーバの内容物が器具１から分泌あるいは出るように完全または恒久的に閉じられていなくてもよい。例えば、多数の穴の開いた領域および／または選択的に封止された孔が器具１の遠位端部３０に沿って多数の箇所に形成されるか、器具１の長い管状部材１０の長さに沿って他の場所に形成されてもよい。また、リザーバ５５に液通する１以上の導管のシステムまたはシリーズ（図示せず）を器具１の内部に形成してもよい。リザーバ５５内に圧力が形成されると、導管が狭まるかリザーバ５５の内容物を器具１の他の領域に導いて分泌させる。
【００３７】
使用時に、本実施例では、性交渉または口−性器のセックスの前に、コンドーム状シース器具１がコンドームのように男性器に適用され、ここで遠位先端３５のリザーバ５５には所定量の香料剤６０が配置されている。最初は、選択的に遠位端部３０を密閉する構造物はその状態に留まっている。例えば、図１に関して、遠位先端３５のミシン目は完全な状態に留まり、あるいは、使用時にパッチまたはタブ４０は遠位先端３５に取り外し可能に固定されている。性的活動が進むと、ミシン目が破れるかパッチまたはタブ４０が破れ、若しくはそうでなくても例えば男性が絶頂に達する直前といった望ましい時点で遠位先端３５から取り去られる。ミシン目が開くかパッチまたはタブ４０が除去されると、小さな開口部５０が形成されるか開く。小さな開口部５０がこの時点で開くと、男性による絶頂時の射精が実質的に香料剤６０と接触して混ざる。射精の力により、香料剤６０によって精液の香りの態様または特性が影響され、得られた液体が遠位先端３５から放出または分泌される。結果として、香料成分によって、他人による精液への接触は匂いと味の不快感が低減される。
【００３８】
図２には、コンドーム状シース器具１の別の実施例が示されている。図１の第１実施例と同様に、器具１は長い管状部材１０を具え、これが近位端部２０と先細った遠位端部３０を有し、男性器の長い形状に弾性的に適合する形状を有する。近位端部２０は男性器を挿入するための開口部２５が構成され、器具１は図１に関して説明したように男性器を隙間無く覆うシースとして動作する。図２に示す開口部２５は器具１の未使用状態から拡張または伸長され、近位端部の点線は開口部２５の伸長された外形を示している。器具１の遠位端部３０は、内部に香料剤６０が配置されたリザーバ５５を形成する遠位先端３５で終端している。さらに、遠位先端３５は、リザーバ５５から液体を漏出可能な小さな開口部５０を有する。
【００３９】
しかしながら、この特定の実施例では、小さな開口部５０は１またはそれ以上の破砕可能なミシン目で規定されておらず、あるいは遠位先端３５に取り外し可能に固定されたパッチまたはタブで選択的に密閉されていない。むしろ、図２に示すように、小さな開口部５０は内側管状部材１０の上に配置された第２の長い外側管状部材１４０によって選択的に密閉されており、これが内側管状部材１０の少なくとも遠位端部３０に被さるように接触して覆っている。第２の外側管状部材１４０は内側管状部材１０に緊密に被さる形状であり、不用意に外れないようになっている。このため、第２の外側管状部材１４０は、必要な弾力性を有するようにコンドーム器具に適した任意の材料でなり、例示的な実施例では、その材料は器具１と同じ材料である。さらに第２の外側管状部材１４０が不用意に外れないように、毒性のない、必要であれば食用の圧力感応式接着剤または接触式接着剤を内側管状部材１０と外側管状部材１４０の接触面の間に設けて、内側管状部材１０と外側管状部材１４０を互いに一時的に保持するようにしてもよい。
【００４０】
内側管状部材１０と同様に、第２の外側管状部材１４０も、内側管状部材１０の少なくとも遠位先端３０を挿入可能な開いた近位端部１２５を具える。第２の外側管状部材１４０の遠位端部１４５は、リザーバ１５５を形成する恒久的に閉じた遠位先端１５０で終端している。本発明の目的において、「閉じている」の語は、不浸透性の仕切りを含むがこれに限定されない。例えば、「閉じている」の語は、いくつかの実施例において、「水を通さない」という意味に規定される。リザーバ１５５は、第２の外側管状部材１４０が内側管状部材１０の上に被さったときに、内側管状部材１０の遠位先端３５のリザーバ５５を受けるよう形成されている。したがって、内側管状部材１０の小さな開口部５０は、被さっている第２の外側管状部材１４０の閉じた遠位先端１５０により密閉される。
【００４１】
上述したように、性交渉または口−性器のセックスの間の選ばれた時点で、小さな開口部５０の密閉を外して液体が遠位先端３５から漏出できるようにすることが望まれる。これは、第２の管状部材１４０を引っ張って外すか、そうでなくとも除去して、内側管状部材１０を完全に露出させた状態にすることで実現する。この時点で小さな開口部５０を開封すると、絶頂時の男性により放出される射精の力が精液を香料剤６０と混合あるいは接触させ、匂いの態様または特性が変わって遠位先端３５から放出または分泌される。第２の外側管状部材１４０を内側管状部材１０から取り外す補助の一実施例として、１以上のタブ１６０を第２の外側管状部材１４０に配置して、このタブ１６０を第２の外側管状部材１４０に取り付けるかこれと一体成形する。
【００４２】
図３を参照すると、コンドーム状シース器具１の別の例示的な実施例が示されている。図１、２に示す実施例と同様に、器具１は長い管状部材１０を具え、これが近位端部２０と先細った遠位端部３０を有し、男性器の長い形状に弾性的に適合する形状を有する。近位端部２０は男性器を挿入するための開口部２５が構成され、器具１は図１、２に関して説明したように男性器を隙間無く覆うシースとして動作する。図３に示す開口部２５は器具１の未使用状態から拡張または伸長され、近位端部の点線は開口部２５の伸長された外形を示している。
【００４３】
器具１の遠位端部３０は、内部に香料剤６０が充填されたリザーバ５５を形成する遠位先端３５で終端している。この遠位先端３５は、遠位先端３５に一体化しており液体を出すが入れない一方通行弁２４０を解してリザーバ５５から液体を漏出可能な小さな開口部５０を具える。適切な一方通行弁の例は、限定しないが、チェックバルブ、フラップバルブ、および／またはスリットバルブである。
【００４４】
一方通行弁２４０は、リザーバ５５内の圧力または力の量が、一方通行弁を開かせるのに足りる特定点に到達すると開く。この特定の実施例では、一方通行弁２４０は、男性の射精により生じる自然の圧力に応じて開くよう構成される。このように、使用時に、男性が絶頂時に放出する射精により一方通行弁２４０が開き、精液と香料剤６０とが混合するか接触して、ほぼ同時に開口部５０を通り器具１から出る。
【００４５】
器具１の香りをさらに強くするために、香料成分を公知技術のように器具１の塗布するか組み込んでもよい。
【００４６】
さらに、遠位先端３５のリザーバ５５内に配置された香料剤６０の香りを視覚で示すために、器具１の外側面に人工的な着色を施して、香料剤６０の特定の香りに合致するか関連するテーマを強調あるいは生成してもよい。
【００４７】
上述した説明や添付の図面は本発明の原理、好適な実施例、および動作モードを説明するものである。しかしながら、本発明は上述した特定の実施例に限定されると解されてはならない。上述した実施例のさらなる変更例が当業者により考えることができ、上述した実施例は限定ではなく説明として把握されるべきである。したがって、当業者は、添付の特許請求の範囲に規定された本発明の範囲を逸脱することなく、これらの実施例に変更を施せることを理解するであろう。
【図１】
2014036859.tif 000003
【図２】
2014036859.tif 000004
【図３】
2014036859.tif 000005